(57)【要約】【課題】煩雑な操作を必要とせずに、ビデオテープの録画内容を選択的にディスクへダビングすることが可能なディスク記録装置を提供する。【解決手段】ＶＩＳＳ信号と、映像音声信号を含むファイルＡ１−１，Ａ１−２，…とが記録されているビデオテープをハードディスクへダビングするにあたり、ファイルの録画時間に対して基準時間の設定を行うことで、録画時間が基準時間以上であるファイルのみを選択してダビングすることができる。例えば、基準時間を３０分に設定すると、録画時間が３０分以上であるファイルＡ１−１乃至Ａ１−４が選択され、これらの内容がハードディスクにファイル分割されて記録される。一方、録画時間が３０分に満たないファイルＢ３−４は選択されず、当該ファイルの内容はハードディスクに記録されない。【選択図】    図２
2005064620.tif 000002
【特許請求の範囲】
【請求項１】
ＶＨＳ方式のビデオカセットテープに記録されているＶＩＳＳ信号および映像信号を読み取るビデオカセットドライブと、このビデオカセットドライブが前記テープから読み取った映像信号を処理する信号処理部と、前記ビデオカセットドライブが前記テープから読み取ったＶＩＳＳ信号に基づいて、前記信号処理部で処理された映像信号をハードディスクに記録するハードディスクドライブと、このハードディスクドライブによる映像信号の記録動作を制御する制御部とを備えたビデオ一体型ハードディスクレコーダにおいて、
ビデオカセットテープからハードディスクへの録画を前記ＶＩＳＳ信号に依存せずに行う第１のモード、またはＶＩＳＳ信号に依存して録画を行う第２のモードのいずれかを選択する選択手段と、
ビデオカセットテープの記録内容をサーチして、ＶＩＳＳ信号が検出されてから次のＶＩＳＳ信号が検出されるまでの区間に記録されている映像信号を１つのファイルとしたとき、ファイル数および各ファイルごとの録画時間を検出する検出手段と、
前記検出手段の検出結果を記憶する記憶手段と、
前記ビデオカセットテープに記録されているファイルのうち、録画時間が一定時間以上のファイルのみをハードディスクへ録画するための基準時間を設定する設定手段とを設け、
前記制御部は、以下の（ａ）〜（ｄ）の処理を実行することを特徴とするビデオ一体型ハードディスクレコーダ。
（ａ）前記選択手段で第１のモードが選択された場合は、ＶＩＳＳ信号にかかわらず、ビデオカセットテープに記録されているすべての映像信号をハードディスクに記録する。
（ｂ）前記選択手段で第２のモードが選択された場合は、前記検出手段によりファイル数および各ファイルごとの録画時間を検出して、検出結果を前記記憶手段に記憶した後、前記設定手段により基準時間が０に設定されているか否かを判定し、基準時間が０に設定されている場合は、ＶＩＳＳ信号に従いすべてのファイルをファイルごとに分割してハードディスクに記録する。
（ｃ）基準時間が０以外に設定されている場合は、ビデオカセットテープのファイル数が０か否かを判定し、ファイル数が０であれば、ビデオカセットテープに記録されているすべての映像信号を１つのファイルとしてハードディスクに記録する。
（ｄ）ファイル数が０でなければ、設定されている基準時間と前記記憶手段に記憶されている各ファイルの録画時間とを順次比較し、録画時間が基準時間以上であるファイルを抽出して、抽出されたファイルをＶＩＳＳ信号に従いファイルごとに分割してハードディスクに記録する。
【請求項２】
ビデオカセットテープに記録されているインデックス信号および映像信号を読み取るビデオカセットドライブと、このビデオカセットドライブが前記テープから読み取った映像信号を処理する信号処理部と、前記ビデオカセットドライブが前記テープから読み取ったインデックス信号に基づいて、前記信号処理部で処理された映像信号をディスクに記録するディスクドライブと、このディスクドライブによる映像信号の記録動作を制御する制御部とを備えたディスク記録装置において、
ビデオカセットテープの記録内容をサーチして、インデックス信号が検出されてから次のインデックス信号が検出されるまでの区間に記録されている映像信号を１つのファイルとしたとき、各ファイルごとの録画時間を検出する検出手段と、
前記ビデオカセットテープに記録されているファイルのうち、録画時間が所定の条件を満たすファイルのみをディスクへ録画するための基準時間を設定する設定手段とを設け、
前記制御部は、前記設定手段により設定された基準時間と、前記検出手段により検出された各ファイルの録画時間とを順次比較し、録画時間が基準時間との関係で所定の条件を満たすファイルを抽出して、抽出されたファイルをインデックス信号に従いファイルごとに分割してディスクに記録することを特徴とするディスク記録装置。
【請求項３】
請求項２に記載のディスク記録装置において、
ビデオカセットテープからディスクへの録画を前記インデックス信号に依存せずに行う第１のモード、またはインデックス信号に依存して録画を行う第２のモードのいずれかを選択する選択手段を設け、
前記制御部は、前記選択手段で第１のモードが選択された場合は、インデックス信号にかかわらず、ビデオカセットテープに記録されているすべての映像信号をディスクに記録し、前記選択手段で第２のモードが選択された場合は、前記抽出されたファイルをインデックス信号に従いファイルごとに分割してディスクに記録することを特徴とするディスク記録装置。
【請求項４】
請求項３に記載のディスク記録装置において、
前記制御部は、前記選択手段で第２のモードが選択された場合に、前記基準時間が０に設定されていれば、インデックス信号に従いすべてのファイルをファイルごとに分割してディスクに記録することを特徴とするディスク記録装置。
【請求項５】
請求項４に記載のディスク記録装置において、
前記制御部は、前記選択手段で第２のモードが選択された場合に、前記基準時間が０以外に設定されていれば、ビデオカセットテープのファイル数が０か否かを判定し、ファイル数が０であれば、ビデオカセットテープに記録されているすべての映像信号を１つのファイルとしてディスクに記録することを特徴とするディスク記録装置。
【請求項６】
請求項２ないし請求項５のいずれかに記載のディスク記録装置において、
ディスクへの録画を開始した後、所定時間内にビデオカセットテープの映像信号を検出したか否かを判定し、映像信号が検出されない場合は録画を停止することを特徴とするディスク記録装置。
【発明の詳細な説明】
【０００１】
【発明の属する技術分野】
本発明は、ハードディスクレコーダのようなディスク記録装置に関し、特に、ビデオカセットテープの録画映像をディスクへダビングすることが可能なディスク記録装置に関する。
【０００２】
【従来の技術】
テレビ番組などを録画する機器として、最近では大容量のハードディスクを内蔵したハードディスクレコーダが普及しつつある。ハードディスクレコーダは、映像信号をデジタル化してハードディスクに記録するため、再生される映像は極めて鮮明で画質の劣化もなく、また編集作業を自由に行えるという利便性を備えている。
【０００３】
ハードディスクレコーダには、ビデオカセットテープ（以下、「ビデオテープ」と略記する）の記録再生を行うためのＶＣＲ（ビデオカセットレコーダ）を内蔵したものがある。このようなビデオ一体型ハードディスクレコーダでは、ビデオテープに録画されているドラマやアニメーションなどの映像をハードディスクへダビングすることができる。
【０００４】
この場合、ビデオテープをレコーダにセットした後、録画操作を１回行えば、ビデオテープの録画内容はそのまま全部ハードディスクへダビングされる。しかし、これだとハードディスクには１つのファイルしか作成されないため、録画内容に複数の番組が含まれているような場合は、編集や再生時の頭出しに際して不便が生じる。編集や頭出しを簡単に行うには、番組ごとにファイルを分割する必要があるが、このためには、１つの番組が終了するごとにいったん録画を停止し、次の番組から再度録画を開始するか、あるいは、ビデオテープの録画内容を全部ハードディスクへ取り込んだ後にファイルを分割する必要があり、いずれにしても、操作が煩雑となる。
【０００５】
そこで、このような煩雑さを回避するために、ビデオテープに記録されているＶＩＳＳ（ＶＨＳ  Ｉｎｄｅｘ  Ｓｅａｒｃｈ  Ｓｙｓｔｅｍ）信号を利用してダビングを行う方法がある。ＶＩＳＳ信号は、ＶＨＳ方式のビデオテープへの録画開始時に、自動（または手動）でテープに記録される頭出し用のインデックス信号である。下記の特許文献１、２には、ビデオテープからディスクへダビングを行うにあたって、ＶＩＳＳ信号を検出することに基づきテープの録画内容を自動的に分割してディスクへ記録することが記載されている。これによると、ＶＩＳＳ信号が検出されてから次のＶＩＳＳ信号が検出されるまでの区間に記録されている録画内容を１つのファイルとして記録できるので、ファイルを分割するための煩雑な操作が不要となる。
【０００６】
【特許文献１】
特開２００１−１６５４０号公報
【特許文献２】
実用新案登録第３０９２１４１号公報
【０００７】
【発明が解決しようとする課題】
ところで、連続ドラマを録画したビデオテープを例にとると、たとえば第１話と第２話との間に、ニュース番組などが割り込んで録画されていることもあるため、連続ドラマのみをディスクにダビングしたい場合は、ニュース番組を飛ばして録画する必要がある。しかしながら、上記特許文献１、２のものでは、すべての録画内容に対して自動分割による記録が行われるため、必要なものだけを選択してダビングすることはできない。したがって、ニュース番組を飛ばして録画するためには、第１話の録画操作を開始した後、モニタ画面を監視し、第１話が終了した時点でいったん停止操作を行い、その後テープを早送りして第２話の先頭を探し出し、第２話の先頭が見つかった時点で再度録画操作を行う必要がある。しかし、これではモニタ画面を常に監視しながら煩雑な操作を繰り返さねばならず、ユーザにとって極めて不便である。
【０００８】
本発明は、上述した課題を解決するものであって、その目的とするところは、煩雑な操作を必要とせずに、ビデオテープの録画内容を選択的にディスクへダビングすることが可能なディスク記録装置を提供することにある。
【０００９】
【課題を解決するための手段】
本発明では、ビデオカセットテープに記録されているインデックス信号および映像信号を読み取るビデオカセットドライブと、このビデオカセットドライブがテープから読み取った映像信号を処理する信号処理部と、ビデオカセットドライブがテープから読み取ったインデックス信号に基づいて、信号処理部で処理された映像信号をディスクに記録するディスクドライブと、このディスクドライブによる映像信号の記録動作を制御する制御部とを備えたディスク記録装置において、ビデオカセットテープの記録内容をサーチして、インデックス信号が検出されてから次のインデックス信号が検出されるまでの区間に記録されている映像信号を１つのファイルとしたとき、各ファイルごとの録画時間を検出する検出手段と、  ビデオカセットテープに記録されているファイルのうち、録画時間が所定の条件を満たすファイルのみをディスクへ録画するための基準時間を設定する設定手段とを設ける。そして、設定手段により設定された基準時間と、検出手段により検出された各ファイルの録画時間とを順次比較し、録画時間が基準時間との関係で所定の条件を満たすファイルを抽出して、抽出されたファイルをインデックス信号に従いファイルごとに分割してディスクに記録するようにしている。
【００１０】
このような本発明においては、設定した基準時間と各ファイルの録画時間とを比較して、録画時間が基準時間との関係で所定の条件を満たすファイル、例えば録画時間が基準時間以上であるファイルのみがディスクに記録される。したがって、基準時間さえ設定すれば、ビデオテープに記録されている所定のファイルが自動的に選択されてディスクへダビングされる。また、このときディスクには、インデックス信号に基づいてファイルが自動的に分割記録される。これにより、ユーザは煩わしい操作から解放される。
【００１１】
また、本発明においては、ビデオカセットテープからディスクへの録画をインデックス信号に依存せずに行う第１のモード、またはインデックス信号に依存して録画を行う第２のモードのいずれかを選択する選択手段を設ける。この選択手段で第１のモードが選択された場合は、インデックス信号にかかわらず、ビデオカセットテープに記録されているすべての映像信号をディスクに記録する。一方、選択手段で第２のモードが選択された場合は、前述のように、抽出されたファイルをインデックス信号に従いファイルごとに分割してディスクに記録する。これによると、ビデオテープの録画内容を無条件に全部ディスクへダビングするか、所定の録画内容のみをディスクへダビングするかをユーザにおいて選択することができる。
【００１２】
また、本発明においては、上記選択手段で第２のモードが選択された場合に、前述の基準時間が０に設定されていれば、インデックス信号に従いすべてのファイルをファイルごとに分割してディスクに記録する。これによると、基準時間を０とすることで、ビデオテープのすべての録画内容をファイル分割してディスクへダビングすることができる。
【００１３】
また、本発明においては、上記選択手段で第２のモードが選択された場合に、前述の基準時間が０以外に設定されていれば、ビデオテープのファイル数が０か否かを判定し、ファイル数が０であれば、テープに記録されているすべての映像信号を１つのファイルとしてディスクに記録する。これによると、インデックス信号が記録されていないビデオテープが使用されたときでも、ファイル分割はされないが、とりあえずテープの記録内容をディスクへダビングすることができる。
【００１４】
また、本発明においては、ディスクへの録画を開始した後、所定時間内にビデオテープの映像信号を検出したか否かを判定し、映像信号が検出されない場合は録画を停止する。これによると、ビデオテープの最後のファイルに映像が途中まで記録されていて、それ以降は何も記録されていない場合に、映像記録のない領域をディスクへ記録するという無駄がなくなり、ディスクを効率良く使用することができる。
【００１５】
本発明は、典型的には、インデックス信号としてＶＩＳＳ信号が記録されているＶＨＳ方式のビデオテープの情報を読み取るビデオカセットドライブと、ＶＩＳＳ信号に基づいてビデオテープの映像信号をハードディスクに記録するハードディスクドライブとを備えたビデオ一体型ハードディスクレコーダに適用される。このビデオ一体型ハードディスクレコーダにおいては、ビデオテープのサーチ時の速度やＶＩＳＳ信号に関する情報を、内部のビデオカセットドライブから取得することができるので、ＶＣＲ（ビデオカセットレコーダ）とハードディスクレコーダとが別体である場合のように、テープ速度等の情報をＶＣＲ側からハードディスクレコーダ側へ送るための通信ラインを付加する必要がない。
【００１６】
【発明の実施の形態】
以下、本発明をビデオ一体型ハードディスクレコーダ（以下、単に「ハードディスクレコーダ」と記す）に適用した場合の実施形態につき説明する。図１は、ハードディスクレコーダの一例を示したブロック図である。図において、１は放送電波を受信するアンテナ、２は受信した放送電波から所定周波数の信号を抽出するチューナ、３はＶＨＳ方式のビデオテープ、４はビデオテープ３に記録されている映像音声信号を読み取り、またビデオテープ３に映像音声信号を記録するビデオカセットドライブである。５は、ビデオカセットドライブ４が読み取ったビデオテープ３の映像音声信号や、チューナ２で選局された番組の映像音声信号をハードディスク６に記録するためのハードディスクドライブである。７は信号処理部であって、ビデオテープ３に対して記録再生する映像音声信号と、ハードディスク６に対して記録再生する映像音声信号と、チューナ２から出力される映像音声信号とを処理する。信号処理部７は、これらの信号を処理するためのＡ／Ｄ変換回路、Ｄ／Ａ変換回路、エンコーダ、デコーダ等を備えている。また、信号処理部７からは、図示しないテレビモニタへ与えられる映像信号、および図示しないスピーカへ与えられる音声信号がそれぞれ出力される。なお、信号処理部７には、デジタルビデオカメラ等の外部機器から映像音声信号が入力されるようにしてもよい。
【００１７】
８はハードディスクレコーダ全体の制御を行う制御部で、ＣＰＵを搭載したマイクロコンピュータから構成される。９はハードディスクレコーダ本体のフロントパネルに設けられている操作部であって、ビデオテープ３とハードディスク６に対して、再生・記録・停止・早送り・早戻し等の各種動作を行わせるためのキーや電源スイッチから構成される。１０はハードディスクレコーダの動作状態や時間等が表示される表示部であって、例えば蛍光表示管により構成される。１１は記憶部であって、制御部８に備わるＣＰＵの動作プログラムや制御パラメータなどが格納されたＲＯＭ、各種データが一時的に記憶されるＲＡＭ等のメモリから構成される。１２はリモコン受信部であって、リモコン１３からの赤外線信号を受信する。リモコン１３には、操作部９と同様に、再生・記録・停止・早送り・早戻し等の各種動作を行わせるためのキーや電源スイッチが設けられているとともに、後述するモードを選択したり基準時間を設定したりするためのキーが設けられている。なお、表示部１０およびリモコン受信部１２は、操作部９とともにハードディスクレコーダ本体のフロントパネルに設けられている。
【００１８】
以上の構成において、リモコン１３（または操作部９）は、本発明における選択手段および設定手段の一実施形態を構成し、ビデオカセットドライブ４、信号処理部７および制御部８は、本発明における検出手段の一実施形態を構成し、記憶部１１は、本発明における記憶手段の一実施形態を構成し、ハードディスクドライブ５は、本発明におけるディスクドライブの一実施形態を構成している。
【００１９】
図２は、本発明におけるダビングの原理を説明する図である。図２（ａ）はビデオテープ３に記録されている信号を示している。ビデオテープ３には、頭出し用のインデックス信号であるＶＩＳＳ信号と、映像信号および音声信号を含むファイルＡ１−１，Ａ１−２，…とが記録されている。ＶＩＳＳ信号は、ビデオテープ３に録画を行う際に、録画操作の開始と同時に自動的に記録される。そして、１回の録画が終了した後、次の録画を行う場合に、録画開始と同時に新たなＶＩＳＳ信号が記録される。したがって、１つのＶＩＳＳ信号から次のＶＩＳＳ信号までの区間に記録されている映像信号および音声信号によって１つのファイルが構成されることになる。具体例で説明すると、ファイルＡ１−１は、録画時間が３０分のファイルであって、例えば連続ドラマの第９話が収録されている。ファイルＡ１−２は、録画時間が３０分のファイルであって、例えば連続ドラマの第１０話が収録されている。ファイルＡ１−３は、録画時間が３０分のファイルであって、例えば連続ドラマの第１１話が収録されている。ファイルＢ３−４は、録画時間が１５分のファイルであって、例えばニュース番組が収録されている。ファイルＡ１−４は、録画時間が９０分のファイルであって、例えば連続ドラマの最終回が収録されている。
【００２０】
このような録画内容を有するビデオテープ３をハードディスク６へダビングするにあたっては、ファイルの録画時間に対して基準時間の設定を行うことにより、録画時間が所定の条件を満たすファイル、例えば録画時間が基準時間以上であるファイルのみを選択してハードディスク６に記録することができる。これを具体例で説明すると、図２（ａ）において、ファイルＢ３−４のニュース番組を飛ばして、連続ドラマのみをダビングしたい場合、ユーザは、基準時間として３０分を設定する。この設定は、リモコン１３を操作してテレビモニタ（図示省略）の画面上で行ってもよいし、レコーダ本体の操作部９に設けられている基準時間設定キーを操作することにより行ってもよい。なお、設定された基準時間は、記憶部１１におけるＲＡＭの所定領域に格納される。
【００２１】
基準時間を３０分に設定した後、ビデオテープ３からハードディスク６への録画を開始すると、録画時間が３０分以上であるファイルＡ１−１，Ａ１−２，Ａ１−３，Ａ１−４が選択されて、これらのファイルに含まれている映像音声信号がハードディスク６に記録される。この場合、ハードディスク６には、ＶＩＳＳ信号に従い各ファイルごとに分割された形で記録が行われる。一方、録画時間が３０分に満たないファイルＢ３−４は選択されず、当該ファイルに含まれている映像音声信号はハードディスク６に記録されない。こうして、基準時間を３０分に設定することで、ニュース番組を録画したファイルＢ３−４を飛ばして、連続ドラマを録画したファイルＡ１−１乃至Ａ１−４のみをハードディスク６にダビングすることができる。
【００２２】
図２（ｂ）は、ファイルの録画時間と基準時間とに基づいて決定される録画有無の結果を示したテーブルである。図の○印は録画を行うことを示しており、×印は録画を行わないことを示している。本実施形態では、基準時間を０分，３０分，６０分，７５分，９０分，１２０分に設定できるようにしている。また、基準時間をＯＦＦとするモードも設けられるが、これについては後述する。上述したように、本実施形態では、ファイルの録画時間と基準時間とを比較して、録画時間が基準時間以上であるファイルのみをハードディスク６に記録するようにしている。したがって、基準時間を０分に設定した場合は、すべてのファイルＡ１−１，Ａ１−２，Ａ１−３，Ｂ３−４，Ａ１−４がハードディスク６に記録される。また、基準時間を３０分に設定した場合は、録画時間が３０分以上であるファイルＡ１−１，Ａ１−２，Ａ１−３，Ａ１−４がハードディスク６に記録され、録画時間が３０分に満たないファイルＢ３−４はハードディスク６に記録されない。また、基準時間を６０分，７５分または９０分に設定した場合は、録画時間がこれらの基準時間以上であるファイルＡ１−４のみがハードディスク６に記録され、他のファイルはハードディスク６に記録されない。また、基準時間を１２０分に設定した場合は、録画時間がこの基準時間以上であるファイルは存在しないので、いずれのファイルもハードディスク６に記録されない。
【００２３】
このようにして、上記実施形態によれば、基準時間さえ設定すれば、ビデオテープ３に記録されている所定のファイルが自動的に選択されてハードディスク６へダビングされる。また、このときハードディスク６には、ＶＩＳＳ信号が検出されることに基づいてファイルが自動的に分割記録される。これによって、ユーザは煩わしい操作から解放される。
【００２４】
次に、ビデオテープ３からハードディスク６へダビングを行う場合の詳細な動作を、図３〜図６のフローチャートを参照しつつ説明する。各フローチャートは、制御部８のＣＰＵによって実行される手順を表している。ハードディスクレコーダにビデオテープ３がセットされ、リモコン１３（または操作部９）の操作により、ビデオテープ３からハードディスク６への録画が開始されると、まず、記憶部１１のＲＡＭに設定されている基準時間Ｘを確認し（ステップＳ１）、ＸがＯＦＦか否かを判定する（ステップＳ２）。基準時間ＸがＯＦＦである場合は、ビデオテープ３からハードディスク６への録画をＶＩＳＳ信号に依存せずに行うＯＦＦモード（本発明の第１のモード）であり、ＶＩＳＳ信号にかかわらず、ビデオテープ３に記録されているすべての映像信号をハードディスク６に記録する。一方、基準時間ＸがＯＦＦでない場合は、ビデオテープ３からハードディスク６への録画をＶＩＳＳ信号に依存して行うＯＮモード（本発明の第２のモード）であり、図４のステップＳ１１へ移行する。
【００２５】
ＯＦＦモードの場合（ステップＳ２：ＹＥＳ）は、ステップＳ３へ進んで、ハードディスク６に新規ファイルを１つだけ作成する。作成されたファイルには、仮のファイル名が付与される。その後、ビデオテープ３からハードディスク６へ、ＶＩＳＳ信号に依存せずに録画が開始される（ステップＳ４）。すなわち、録画の開始によって、ビデオカセットドライブ４はビデオテープ３に記録されているＶＩＳＳ信号および映像信号を読み取るが、制御部８はＶＩＳＳ信号を無視して、信号処理部７でデジタル信号に変換処理された映像信号を順次ハードディスク６の新規ファイルへ格納してゆく。音声信号に関しても同様である。以下では、音声信号についての説明は割愛する。
【００２６】
録画が開始されると、ビデオテープ３の記録信号を監視して、所定時間内に映像信号が検出されたか否かを判定する（ステップＳ５）。例えば、３秒間連続して映像信号が検出されなかった場合は、ステップＳ５の判定はＮＯとなり、ステップＳ７へ移行する。この理由については後で説明する。所定時間内に映像信号が検出されれば（ステップＳ５：ＹＥＳ）、次に、ビデオテープ３の終端まで録画したか否かを判定する（ステップＳ６）。その結果、まだテープ終端に至っていなければ（ステップＳ６：ＮＯ）、ステップＳ４へ戻って、ビデオテープ３からハードディスク６への録画を継続する。以降は、上述したステップＳ４〜Ｓ６を反復する。そして、この過程において、ステップＳ５で所定時間内に映像信号が検出されなくなった場合（ステップＳ５：ＮＯ）、または、映像信号は検出されているがステップＳ６でビデオテープ３が終端に至った場合（ステップＳ６：ＹＥＳ）は、ステップＳ７へ移行して、ハードディスク６への録画を停止するとともに、ハードディスク６に作成したファイルをクローズして処理を終了する。
【００２７】
ところで、ビデオテープ３に記録されているファイルのうち、最後のファイルには映像信号がテープ終端まで記録されていない場合がある。例えば、図８に示した例では、６時間録画用のビデオテープに、１時間録画のファイル＃１〜＃３と、３時間録画のファイル＃４とが存在し、ファイル＃１〜＃３には映像信号が最後まで記録されているが、ファイル＃４には映像信号が１時間（途中のＡ点まで）しか記録されていない。この場合、映像信号がなくなったＡ点においてはＶＩＳＳ信号が記録されないため、基準時間が例えば１時間に設定されていると、ハードディスク６へは、ファイル＃４の映像信号が記録された領域と映像信号が記録されていない領域の両方を含めた３時間分のデータが記録されてしまう。しかし、映像信号が記録されていない領域を録画することは本来無意味であり、ハードディスク６の記録領域を無駄に消費してしまう結果となる。そこで、上述したように、ステップＳ５においてビデオテープ３の映像信号を監視して、所定時間内に映像信号が検出されなければ録画を停止することにより、ビデオテープ３の映像記録のない領域をハードディスク６へ記録するという無駄がなくなり、ディスクを効率良く使用することができる。
【００２８】
図３のステップＳ２において、基準時間ＸがＯＦＦに設定されていない場合は（ステップＳ２：ＮＯ）、図４に示す手順へ移行する。図４では、まずファイル情報を取得するために、ビデオテープ３を早送りして記録内容をサーチする（ステップＳ１１）。サーチによって、ビデオテープ３に記録されているファイル数Ｎやファイル番号ｎが取得される。また、サーチの際に検出されるＶＩＳＳ信号に基づいて、ファイルごとの録画時間Ｙｎが検出される。録画時間Ｙｎは、ＶＩＳＳ信号が検出されてから次のＶＩＳＳ信号が検出されるまでの時間に相当し、この区間に記録されている映像信号が１つのファイルを構成している。こうして取得したファイル数Ｎ、ファイル番号ｎ、録画時間Ｙｎなどのファイル情報は、記憶部１１のメモリ（ＲＡＭ）に格納される（ステップＳ１２）。記憶部１１にファイル情報が格納されると、図７に示したようなファイル情報の一覧が、テレビモニタ（図示省略）の画面に表示される。
【００２９】
次に、基準時間Ｘが０か否かを判定する（ステップＳ１４）。Ｘが０でなければ（ステップＳ１４：ＮＯ）、図５のステップＳ３１へ移行し、Ｘが０であれば（ステップＳ１４：ＹＥＳ）、ステップＳ１５に進む。ステップＳ１５以降の手順では、基準時間Ｘを０とすることで、ビデオテープ３のすべての録画内容をファイル分割してハードディスク６へダビングする。ダビングにあたっては、まず、ハードディスク６に１番目の新規ファイルを作成する（ステップＳ１５）。作成されたファイルには、仮のファイル名が付与される。その後、ビデオテープ３からハードディスク６へ録画が開始される（ステップＳ１６）。録画の開始によって、制御部８は信号処理部７でデジタル信号に変換処理された映像信号をハードディスク６の新規ファイルへ格納してゆく。録画が開始されると、次に制御部８は、ビデオカセットドライブ４がビデオテープ３から読み取ったデータに基づき、ＶＩＳＳ信号が検出されたか否かを判定する（ステップＳ１７）。ＶＩＳＳ信号が検出されれば（ステップＳ１７：ＹＥＳ）、ビデオテープ３の最初のファイル内容が全部記録されたことになるので、ハードディスク６への録画をいったん停止するとともに、作成した１番目のファイルをクローズして（ステップＳ１８）、ステップＳ１５へ戻り、ハードディスク６に２番目の新規ファイルを作成する。そして、このファイルにビデオテープ３の次の録画内容を記録してゆき、以後は上述したステップＳ１５〜Ｓ１８の手順を繰り返す。
【００３０】
一方、ステップＳ１７においてＶＩＳＳ信号が検出されなければ（ステップＳ１７：ＮＯ）、ビデオテープ３の記録信号を監視して、所定時間内に映像信号が検出されたか否かを判定し（ステップＳ１９）、例えば３秒間連続して映像信号が検出されなかった場合は（ステップＳ１９：ＮＯ）、ハードディスク６への録画を停止するとともに、ハードディスク６に作成したファイルをクローズして処理を終了する（ステップＳ２１）。このようにするのは、図３のステップＳ５で説明したのと同様の理由による。一方、ステップＳ１９において所定時間内に映像信号が検出されれば（ステップＳ１９：ＹＥＳ）、次に、ビデオテープ３の終端まで録画したか否かを判定する（ステップＳ２０）。その結果、まだテープ終端に至っていなければ（ステップＳ２０：ＮＯ）、ステップＳ１６へ戻って、ビデオテープ３からハードディスク６への録画を継続する。また、ビデオテープ３が終端に至った場合（ステップＳ２０：ＹＥＳ）は、ステップＳ２１へ移行して、ハードディスク６への録画を停止するとともに、ハードディスク６に作成したファイルをクローズして処理を終了する。
【００３１】
図４のステップＳ１４において、基準時間Ｘが０でない場合は（ステップＳ１４：ＮＯ）、図５に示す手順へ移行する。図５では、まず、ビデオテープ３のファイル数Ｎが０か否かを判定する（ステップＳ３１）。この判定は、記憶部１１に記憶されているファイル情報を参照することにより行われる。ファイル数Ｎが０でなければ（ステップＳ３１：ＮＯ）、図６のステップＳ４１へ移行し、ファイル数Ｎが０であれば（ステップＳ３１：ＹＥＳ）、ステップＳ３２へ移行する。古い機種のＶＣＲでは、録画時にＶＩＳＳ信号を記録するに際して手動操作が必要となるものがあり、この操作を忘れるとビデオテープ３にはＶＩＳＳ信号が記録されないので、テープ上のファイル数Ｎは０となる。そこで、ステップＳ３２以降の手順では、ファイル数が０であっても、とりあえず、ビデオテープ３に記録されているすべての映像信号をハードディスク６に記録できるようにしている。ただし、この場合は、ＶＩＳＳ信号がないので、ファイルを分割記録することはできず、１つのファイルとして記録されるにとどまる。
【００３２】
まず、ステップＳ３２では、テレビモニタ（図示省略）の画面に「頭出し信号なし」と「全録画？」のメッセージを表示する。続いて、画面上で「全録画」が選択されたか否かを判定し（ステップＳ３３）、「全録画」が選択されなかった場合は（ステップＳ３３：ＮＯ）、処理を終了する。また、「全録画」が選択された場合は（ステップＳ３３：ＹＥＳ）、ハードディスク６に新規ファイルを１つだけ作成する（ステップＳ３４）。作成されたファイルには、仮のファイル名が付与される。その後、ビデオテープ３からハードディスク６へ録画が開始される（ステップＳ３５）。録画の開始によって、ビデオカセットドライブ４はビデオテープ３に記録されている映像信号を読み取り、制御部８は、信号処理部７でデジタル信号に変換処理された映像信号を順次ハードディスク６の新規ファイルへ格納してゆく。
【００３３】
録画が開始されると、ビデオテープ３の記録信号を監視して、所定時間内に映像信号が検出されたか否かを判定し（ステップＳ３６）、例えば３秒間連続して映像信号が検出されなかった場合は（ステップＳ３６：ＮＯ）、ステップＳ３６の判定はＮＯとなり、ステップＳ３８へ移行する。このようにするのは、図３のステップＳ５で説明したのと同様の理由による。一方、ステップＳ３６において所定時間内に映像信号が検出されれば（ステップＳ３６：ＹＥＳ）、次に、ビデオテープ３の終端まで録画したか否かを判定する（ステップＳ３７）。その結果、まだテープ終端に至っていなければ（ステップＳ３７：ＮＯ）、ステップＳ３５へ戻って、ビデオテープ３からハードディスク６への録画を継続する。以降は、上述したステップＳ３５〜Ｓ３７を反復する。そして、この過程において、ステップＳ３６で所定時間内に映像信号が検出されなくなった場合（ステップＳ３６：ＮＯ）、または、映像信号は検出されているがステップＳ３７でビデオテープ３が終端に至った場合（ステップＳ３７：ＹＥＳ）は、ステップＳ３８へ移行して、ハードディスク６への録画を停止するとともに、ハードディスク６に作成したファイルをクローズして処理を終了する。
【００３４】
図５のステップＳ３１において、ファイル数Ｎが０でない場合（ステップＳ３１：ＮＯ）、すなわちビデオテープ３にＶＩＳＳ信号が記録されていて、ファイルが存在する場合は、図６に示す手順へ移行する。この図６の手順は、ビデオテープ３に記録されているファイルのうち、所定のファイルのみをハードディスク６に記録する選択録画の手順であって、本発明の最も重要な特徴をなす。
【００３５】
図６では、まず、ビデオテープ３に記録されている各ファイルの録画時間と基準時間とを順次比較して、所定の条件を満たすファイルが存在するか否かを判定する（ステップＳ４１）。この判定は、記憶部１１に格納されている各ファイルの録画時間Ｙｎと基準時間Ｘとを参照することにより行われる。本実施形態では、前述のように、録画時間が基準時間以上であるファイルのみをハードディスク６に記録するので、「録画時間Ｙｎ≧基準時間Ｘ」の条件が成立するか否かを、各ファイルごとに判定する。
【００３６】
判定の結果、上記条件を満たすファイルがある場合は（ステップＳ４１：ＹＥＳ）、そのファイルの頭出しをＶＩＳＳ信号に基いて行い（ステップＳ４２）、これに続いて、ハードディスク６に１番目の新規ファイルを作成する（ステップＳ４３）。作成されたファイルには、仮のファイル名が付与される。その後、ビデオテープ３からハードディスク６へ録画が開始される（ステップＳ４４）。録画の開始によって、制御部８は信号処理部７でデジタル信号に変換処理された映像信号をハードディスク６の新規ファイルへ格納してゆく。録画が開始されると、次に制御部８は、ビデオカセットドライブ４がビデオテープ３から読み取ったデータに基づき、ＶＩＳＳ信号が検出されたか否かを判定する（ステップＳ４５）。
【００３７】
ＶＩＳＳ信号が検出されれば（ステップＳ４５：ＹＥＳ）、前記条件を満たす最初のファイルの内容が全部記録されたことになるので、ハードディスク６への録画をいったん停止するとともに、作成した１番目の新規ファイルをクローズして（ステップＳ４６）、ステップＳ４１へ戻り、前記条件を満たすファイルが他にもあるか否かを判定する。そして、条件を満たすファイルがあれば（ステップＳ４１：ＹＥＳ）、そのファイルの頭出しをＶＩＳＳ信号に基いて行い（ステップＳ４２）、これに続いて、ハードディスク６に２番目の新規ファイルを作成する（ステップＳ４３）。続いて、この新規ファイルへの録画を行い（ステップＳ４４）、以後は上述したステップＳ４１〜Ｓ４６の手順を繰り返して、ビデオテープ３に記録されているファイルのうち、前記条件を満たすファイルのみを抽出して、その内容をハードディスク６上に形成される分割ファイルにそれぞれ記録してゆく。そして、この過程で前記条件を満たすファイルがなくなると（ステップＳ４１：ＮＯ）、処理を終了する。
【００３８】
一方、ステップＳ４５においてＶＩＳＳ信号が検出されなければ（ステップＳ４５：ＮＯ）、ビデオテープ３の記録信号を監視して、所定時間内に映像信号が検出されたか否かを判定し（ステップＳ４７）、例えば３秒間連続して映像信号が検出されなかった場合は（ステップＳ４７：ＮＯ）、ステップＳ４６へ移行して、ハードディスク６への録画を停止するとともに、ハードディスク６に作成したファイルをクローズする。このようにするのは、図３のステップＳ５で説明したのと同様の理由による。その後、ステップＳ４１へ戻って、次の該当ファイルの検索を行う。なお、ステップＳ４７の判定がＮＯの場合、ステップＳ４９ではなくステップＳ４６へ移行するのは、判定されたファイルが最終ファイル以外のファイルであるときに、次の該当ファイルの録画を行うことなく処理を終了してしまうのを避けるためである。ステップＳ４７において所定時間内に映像信号が検出されれば（ステップＳ４７：ＹＥＳ）、次に、ビデオテープ３の終端まで録画したか否かを判定する（ステップＳ４８）。その結果、まだテープ終端に至っていなければ（ステップＳ４８：ＮＯ）、ステップＳ４４へ戻って、ビデオテープ３からハードディスク６への録画を継続する。また、ビデオテープ３が終端に至った場合（ステップＳ４８：ＹＥＳ）は、ステップＳ４９へ移行して、ハードディスク６への録画を停止するとともに、ハードディスク６に作成したファイルをクローズして処理を終了する。
【００３９】
このようにして、図６の実施形態によれば、設定した基準時間Ｘと各ファイルの録画時間Ｙｎとを比較して、Ｙｎ≧Ｘの条件を満たすファイルのみがハードディスク６に記録されるので、基準時間Ｘさえ設定すれば、ビデオテープ３に記録されている所定のファイルが自動的に選択されてハードディスク６へダビングされる。また、このときハードディスク６には、ＶＩＳＳ信号に基づいてファイルが自動的に分割記録される。したがって、ユーザは煩わしい操作から解放される。
【００４０】
なお、以上述べた実施形態では、設定した基準時間Ｘと各ファイルの録画時間Ｙｎとを比較して、録画時間が基準時間以上（Ｙｎ≧Ｘ）であるファイルのみがハードディスク６に記録されるようにしたが、これとは逆に、録画時間が基準時間未満（Ｙｎ＜Ｘ）であるファイルのみがハードディスク６に記録されるようにしてもよい。すなわち、ファイルの録画時間Ｙｎが基準時間Ｘとの関係で所定の条件を満たす場合に、そのファイルがハードディスク６に記録されるようにすればよい。また、録画時間が基準時間以上のときにファイルを記録するか、録画時間が基準時間未満のときにファイルを記録するかを、基準時間とともに設定できるようにしてもよい。
【００４１】
また、ファイル情報を表示した図７の画面において、ハードディスク６へ録画可能なファイル（例えば、録画時間が基準時間以上であるファイル）を、反転表示や強調表示等により表示してもよい。これにより、ユーザはどのファイルが録画可能かを容易に把握することができる。
【００４２】
なお、上記実施形態においては、インデックス信号としてＶＩＳＳ信号を利用する例を挙げたが、インデックス信号はＶＩＳＳ信号以外の信号であってもよい。また、上記実施形態においては、ビデオ一体型ハードディスクレコーダを例に挙げたが、本発明はビデオ装置が外付けされるハードディスクレコーダにも適用することができる。さらに、本発明はハードディスクレコーダ以外にも、ＤＶＤレコーダなどに適用することが可能である。
【００４３】
【発明の効果】
以上述べたように、本発明によれば、ビデオテープの各ファイルの録画時間と基準時間との比較結果に基づいて、所定のファイルのみがディスクに自動的に分割記録されるので、煩雑な操作を必要とせずに、ビデオテープの録画内容を選択的にディスクへダビングすることが可能となる。
【図面の簡単な説明】
【図１】ビデオ一体型ハードディスクレコーダの一例を示したブロック図である。
【図２】本発明におけるダビングの原理を説明する図である。
【図３】ビデオテープからハードディスクへのダビング動作を示したフローチャートである。
【図４】図３の続きのフローチャートである。
【図５】図４の続きのフローチャートである。
【図６】図５の続きのフローチャートである。
【図７】ファイル情報の一覧を表示した画面の例である。
【図８】ビデオテープにおける信号記録状態を示した図である。
【符号の説明】
３    ビデオテープ
４    ビデオカセットドライブ
５    ハードディスクドライブ
６    ハードディスク
７    信号処理部
８    制御部
９    操作部
１１  記憶部
１３  リモコン
【図１】
2005064620.tif 000003
【図２】
2005064620.tif 000004
【図３】
2005064620.tif 000005
【図４】
2005064620.tif 000006
【図５】
2005064620.tif 000007
【図６】
2005064620.tif 000008
【図７】
2005064620.tif 000009
【図８】
2005064620.tif 000010